(57)【特許請求の範囲】
【請求項１】
複数の走査線と、複数のデータ線と、これら走査線およびデータ線の各交差に対応して配設される画素とを有する電気光学装置と、該電気光学装置に固着されたコンデンサシートとを有し、
当該電気光学装置は、外部から照射光が照射されることによって情報を表示する表示領域を有するものであり、
前記コンデンサシートは、誘電体材料の粉末を高分子材料に混合し可撓性を有するシート状に形成された誘電層と、該誘電層を挟むように形成され可撓性を有する導体層とを有し、単層または積層構造を有するコンデンサを形成しており、
前記コンデンサシートは平面的に配列された複数のコンデンサを有し、当該複数のコンデンサは、前記表示領域の周縁部に沿って実装されて前記表示領域を取り囲んでおり、当該実装部分における照射光を遮光することを特徴とするコンデンサ付き電気光学装置。
【請求項２】
前記コンデンサシートが、前記表示領域に対応する開口部を有して前記複数のコンデンサを覆う皮膜を備えることを特徴とする請求項１記載のコンデンサ付き電気光学装置。
【請求項３】
前記コンデンサシートが、当該電気光学装置の前記表示領域以外の部分全体を平面視で覆っていることを特徴とする請求項１又は２記載のコンデンサ付き電気光学装置。
【請求項４】
前記コンデンサシートを構成する複数の前記導電層から延出されたリード線が、当該電気光学装置の端縁から外側に延出されており、
前記リード線が当該電気光学装置の側端面を経由して当該コンデンサシートと反対側の面に引き回され、当該面に形成された端子と電気的に接続されていることを特徴とする請求項１から３のいずれか１項記載のコンデンサ付き電気光学装置。
【請求項５】
当該電気光学装置が、素子基板と、該素子基板よりも小さい対向基板とを貼り合わせてなる構成を備えるとともに、前記対向基板の外側に張り出した前記素子基板の前記対向基板側の面に形成された端子を有しており、
前記コンデンサシートが前記素子基板の前記対向基板と反対側の面に実装され、前記コンデンサシートのリード線が、前記素子基板の側端面を経由して前記コンデンサシートと反対側の素子基板面に引き回され、前記端子と電気的に接続されていることを特徴とする請求項４に記載のコンデンサ付き電気光学装置。
【請求項６】
複数の前記リード線が、前記素子基板のうち、対向基板の外側に張り出した領域の辺端部に沿って配列されていることを特徴とする請求項５に記載のコンデンサ付き電気光学装置。
【請求項７】
前記対向基板の外側に張り出した前記素子基板上の領域に駆動回路が実装されており、前記コンデンサシートが、前記駆動回路に光が入射するのを防止する遮光膜を兼ねていることを特徴とする請求項５又は６に記載のコンデンサ付き電気光学装置。
【請求項８】
請求項１から７のいずれか１項記載の電気光学装置を備えることを特徴とする電子機器。
【発明の詳細な説明】
【０００１】
【発明の属する技術分野】
本発明は、電気光学装置その他各種電子機器に用いて好適なコンデンサシート、コンデンサ付き電気光学装置、フレキシブル基板、複合ビルドアップ基板および電子機器に関する。
【０００２】
【背景技術】
電気光学装置、例えば、電気光学材料として液晶を用いた液晶パネルは、陰極線管（ＣＲＴ）に代わるディスプレイデバイスとして、各種情報処理機器の表示部や液晶テレビなどに広く用いられている。ここで、従来の電気光学装置は、例えば、次のように構成されている。すなわち、従来の電気光学装置は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との問に充填された電気光学材料たる液晶とから構成される。
【０００３】
そして、このような構成において、走査線を介してスイッチング素子に走査信号を印加すると、当該スイッチング素子が導通状態となる。この導通状態の際に、データ線を介して画素電極に、階調に応じた電圧の画像信号を印加すると、当該画素電極および対向電極の間の液晶層に画像信号の電圧に応じた電荷が蓄積される。電荷蓄積後、当該スイッチング素子をオフ状態としても、当該液晶層における電荷の蓄積は、画素電極および対向電極の容量性や蓄積容量などによって維持される。このように、各スイッチング素子を駆動させ、蓄積させる電荷量を階調に応じて制御すると、画素毎に光が変調され表示される濃度が変化することになる。このため、階調を表示することが可能となるのである。
【０００４】
この際、各画素の電極に電荷を蓄積させるのは１画面を表示するための期間に対して、その一部の期間で良いため、第１に、走査線駆動回路によって、各走査線を順次選択するとともに、第２に、その走査線の選択期間においてデータ線駆動回路によってデータ線を順次選択し、第３に、選択されたデータ線に、階調に応じた電圧の画像信号をサンプリングする構成により、走査線およびデータ線を複数の画素について共通化した時分割マルチプレックス駆動が可能となる。
【０００５】
ここで、液晶パネルは、画素電極などが形成された素子基板と、対向電極などが形成された対向基板とを一定の間隙を保って貼り合わせ、この間隙に電気光学材料としての液晶を挟持させた構造を有している。素子基板および対向基板はガラスや石英などの非晶質基板である。近年、駆動回路を搭載した集積回路を素子基板等の上にＣＯＧ（チップオングラス）またはＴＡＢによって実装し、液晶パネルと駆動回路を一体に構成する技術が開発されている。なお、この集積回路は、主として単結晶シリコンによって構成されたチップ上に駆動回路を形成し、さらに該チップを樹脂で封入して成るものである。また、素子基板等の上には、外部装置からの画像信号等を入力するためのパターンも形成され、ここにフレキシブルテープ電線等が接続される。
【０００６】
【発明が解決しようとする課題】
ところで、液晶パネルの駆動回路には、電源電圧の平滑化や、チャージポンプ方式による昇圧のためにコンデンサが必要である。このコンデンサを如何に実装するかが従来より問題になっていた。まず、コンデンサを集積回路内の半導体チップ内に形成することが考えられる。しかし、コンデンサは集積回路内で比較的広い面積を占有するため、半導体チップが大型化し高価になるという問題があった。
【０００７】
コンデンサを外付けする技術としては、コンデンサをセラミック型のチップコンデンサによって構成し、フレキシブルテープ電線上に実装することが考えられる。しかし、フレキシブルテープ電線が自在に撓むのに対して、チップコンデンサが固いことから、両者の接合部分に金属疲労が発生し、チップコンデンサがフレキシブルテープ電線から剥がれ落ち易くなるという問題が生じた。また、チップコンデンサを素子基板等の上に素子基板等の上に実装することも考えられる。
【０００８】
しかし、チップコンデンサは集積回路等と比較して厚みが大きく、ガラスや石英などによって構成された素子基板等に実装することが困難である。また、チップコンデンサを無理に素子基板等に実装したとしても、振動や熱膨張係数の違い等により、やはりチップコンデンサが剥がれ落ち易くなるという問題が生じる。この発明は上述した事情に鑑みてなされたものであり、安価でありながら安定して実装できるコンデンサシート、コンデンサ付き電気光学装置、フレキシブル基板、複合ビルドアップ基板および電子機器を提供することを第１の目的としている。また、電気光学装置の非表示領域における遮光効果を高めることを第２の目的としている。
【０００９】
【課題を解決するための手段】
上記課題を解決するため本発明にあっては、下記構成を具備することを特徴とする。なお、括弧内は例示である。
本発明のコンデンサ付き電気光学装置は、複数の走査線と、複数のデータ線と、これら走査線およびデータ線の各交差に対応して配設される画素とを有する電気光学装置と、該電気光学装置に固着されたコンデンサシートとを有し、当該電気光学装置は、外部から照射光が照射されることによって情報を表示する表示領域を有するものであり、前記コンデンサシートは、誘電体材料の粉末を高分子材料に混合し可撓性を有するシート状に形成された誘電層と、該誘電層を挟むように形成され可撓性を有する導体層とを有し、単層または積層構造を有するコンデンサを形成しており、前記コンデンサシートは平面的に配列された複数のコンデンサを有し、当該複数のコンデンサは、前記表示領域の周縁部に沿って実装されて前記表示領域を取り囲んでおり、当該実装部分における照射光を遮光することを特徴とする。
本発明のコンデンサ付き電気光学装置は、前記コンデンサシートが、前記表示領域に対応する開口部を有して前記複数のコンデンサを覆う皮膜を備えることを特徴とする。
本発明のコンデンサ付き電気光学装置は、前記コンデンサシートが、当該電気光学装置の前記表示領域以外の部分全体を平面視で覆っていることを特徴とする。
本発明のコンデンサ付き電気光学装置は、前記コンデンサシートを構成する複数の前記導電層から延出されたリード線が、当該電気光学装置の端縁から外側に延出されており、前記リード線が当該電気光学装置の側端面を経由して当該コンデンサシートと反対側の面に引き回され、当該面に形成された端子と電気的に接続されていることを特徴とする。
本発明のコンデンサ付き電気光学装置は、当該電気光学装置が、素子基板と、該素子基板よりも小さい対向基板とを貼り合わせてなる構成を備えるとともに、前記対向基板の外側に張り出した前記素子基板の前記対向基板側の面に形成された端子を有しており、前記コンデンサシートが前記素子基板の前記対向基板と反対側の面に実装され、前記コンデンサシートのリード線が、前記素子基板の側端面を経由して前記コンデンサシートと反対側の素子基板面に引き回され、前記端子と電気的に接続されていることを特徴とする。
本発明のコンデンサ付き電気光学装置は、複数の前記リード線が、前記素子基板のうち、対向基板の外側に張り出した領域の辺端部に沿って配列されていることを特徴とする。
本発明のコンデンサ付き電気光学装置は、前記対向基板の外側に張り出した前記素子基板上の領域に駆動回路が実装されており、前記コンデンサシートが、前記駆動回路に光が入射するのを防止する遮光膜を兼ねていることを特徴とする。
本発明の電子機器は、請求項１から６のいずれか１項記載の電気光学装置を備えることを特徴とする。
コンデンサシート（４００）にあっては、誘電体材料（チタン酸バリウム）の粉末を高分子材料（ポリエチレン、レジスト等）に混合し可撓性を有するシート状に形成された誘電層（誘電体フィルム４１６）と、該誘電層を挟むように形成され可撓性を有する導体層（導体板４１４）とを有し、単層または積層構造を有するコンデンサを形成することを特徴とする。
また、本発明に係るコンデンサ付き電気光学装置にあっては、複数の走査線（１１２）と、複数のデータ線（１１４）と、これら走査線およびデータ線の各交差に対応して配設される画素（画素電極１１８）とを有する電気光学装置と、該電気光学装置に固着された、本発明に係るコンデンサシート（４００）とを有することを特徴とする。
さらに、本発明に係るコンデンサ付き電気光学装置において、前記電気光学装置は、外部から照射光が照射されることによって情報を表示する表示領域（１０１ａ）を有するものであり、前記コンデンサシート（４００）は前記表示領域（１０１ａ）の周縁部に沿って実装され、当該実装部分における照射光を遮光することを特徴とする。
さらに、本発明に係るコンデンサ付き電気光学装置において、前記コンデンサシートは、耐衝撃性を有することを特徴とする。
さらに、本発明に係るコンデンサシートにおいて、前記コンデンサシートは、シート面上の領域毎に形成された複数のコンデンサ（４１０，４２０，４３０，４４０）から成ることを特徴とする。
また、フレキシブル基板にあっては、上記コンデンサシート（４００）を表面に実装し、あるいは該コンデンサシート（４００）を一つの層として内蔵したことを特徴とする。
また、複合ビルドアップ基板にあっては、上記コンデンサシート（４００）を表面に実装し、あるいは該コンデンサシート（４００）を一つの層として内蔵したことを特徴とする。
また、本発明に係る電子機器にあっては、上記本発明の電気光学装置を備えることを特徴とする。
【００１０】
【発明の実施の形態】
1．実施形態の構成
1．1．全体構成
次に、本発明の一実施形態の電気光学装置の構成を図１を参照し説明する。
図において、タイミング信号生成回路２００には、図示せぬ上位装置から垂直同期信号Ｖｓ、水平同期信号Ｈｓおよび入力階調データＤ０〜Ｄ２のドットクロック信号ＤＣＬＫが供給される。また、発振回路１５０は、読み出しタイミングの基本クロックＲＣＬＫをタイミング信号生成回路２００に供給する。タイミング信号生成回路２００は、これらの信号にしたがって、次に説明する各種のタイミング信号やクロック信号などを生成するものである。まず、交流化信号ＦＲは、１フレーム毎に極性反転する信号である。
【００１１】
駆動信号ＬＣＯＭは、対向基板の対向電極に印加される信号であり、本実施形態においては一定電位（零電位）になる。スタートパルスＤＹは、各フレームにおいて最初に出力されるパルス信号である。クロック信号ＣＬＹは、走査側（Ｙ側）の水平走査期間を規定する信号である。ラッチパルスＬＰは、水平走査期間の最初に出力されるパルス信号であって、クロック信号ＣＬＹのレベル遷移（すなわち、立ち上がりおよび立ち下がり）時に出力されるものである。クロック信号ＣＬＸは、表示用のドットクロック信号である。
【００１２】
一方、素子基板１０１上における表示領域１０１ａには、図においてＸ（行）方向に延在して複数本の走査線１１２が形成されている。また、複数本のデータ線１１４が、Ｙ（列）方向に沿って延在して形成されている。そして、画素１１０は、走査線１１２とデータ線１１４との各交差に対応して設けられて、マトリクス状に配列されている。ここで、説明の便宜上、本実施形態では、走査線１１２の総本数をｍ本とし、データ線１１４の総本数をｎ本として（ｍ、ｎはそれぞれ２以上の整数）、ｍ行×ｎ列のマトリクス型表示装置として説明する。
【００１３】
走査線駆動回路１３０は、フレームの最初に供給されるスタートパルスＤＹをクロック信号ＣＬＹにしたがって転送し、走査信号Ｇ1, Ｇ2, Ｇ3, … ,Ｇmとして走査線１１２の各々の一端に順次排他的に供給するものである。走査線駆動回路１６０もこれと同様に構成されており、走査線駆動回路１３０と同タイミングで走査線１１２の他端に走査信号Ｇ1, Ｇ2, Ｇ3, … ,Ｇmを順次排他的に供給する。なお、走査線駆動回路１３０，１６０の双方から走査信号を供給する理由は走査線１１２上の電圧降下を抑制して動作を安定させるためである。
【００１４】
次に、データ変換回路３００は、ドットクロック信号ＤＣＬＫに同期して入力される入力階調データＤ０〜Ｄ２を、クロック信号ＣＬＸに同期するアナログ信号であるデータ信号Ｄｓに変換し出力するものである。なお、データ信号Ｄｓのレベルは階調データＤ０〜Ｄ２に比例し、フルスケールの時（階調データＤ０〜Ｄ２が“１１１”の時）電圧Ｖ１になるように設定される。
【００１５】
次に、データ線駆動回路１４０は、ある水平走査期間においてデータ信号Ｄｓをデータ線１１４の本数に相当するｎ個順次サンプルホールドした後、サンプルホールドしたｎ個のデータ信号Ｄｓを、次の水平走査期間において、バッファ回路を介して、それぞれ対応するデータ線１１４にデータ信号ｄ1, ｄ2, ｄ3, …ｄnとして一斉に供給するものである。
【００１６】
1．2．電気光学装置の構造
上述した電気光学装置の構造について、図２(a)，(b)を参照して説明する。ここで、同図(a)は、電気光学装置１００の構成を示す平面図であり、同図(b)は、同図(a)におけるＡ−Ａ´線の断面図である。これらの図に示されるように、電気光学装置１００は、画素電極１１８などが形成された素子基板１０１と、対向電極１０８などが形成された対向基板１０２とが、互いにシール材１０４によって一定の間隙を保って貼り合わせられるとともに、この間隙に電気光学材料としての液晶１０５が挟持された構造となっている。
【００１７】
なお、実際には、シール材１０４には切欠部分があって、ここを介して液晶１０５が封入された後、封止材により封止されるが、これらの図においては省略されている。ここで、素子基板１０１および対向基板１０２はガラスや石英などの非晶質基板である。そして、画素電極１１８等は、素子基板１０１に低温ポリシリコンを堆積して成るＴＦＴによって形成されている。すなわち、電気光学装置１００は、透過型として用いられることになる。
【００１８】
さて、素子基板１０１の背面において、表示領域１０１ａの外側領域には、フィルムコンデンサ・シート４００が設けられている。このそして、表示領域１０１ａの外側であってシール材１０４の内側の領域のうち、図上の左辺１０１ｂおよび右辺１０１ｃに沿った長方形領域１３０ａ，１６０ａには、走査線駆動回路１３０，１６０が画素トランジスタ１１６と同様に基板上に薄膜トランジスタによって形成される。また、フィルムコンデンサ・シート４００は、これら走査線駆動回路１３０，１６０に対する遮光膜を兼ねており、この領域に形成される駆動回路に光が入射することを防止している。
【００１９】
また、素子基板１０１の下辺１０１ｄは、他の辺と比較して、表示領域１０１ａからの距離が広く確保されている。そして、シール材１０４と下辺１０１ｄとの間にはＩＣチップである集積回路１７０がＣＯＧ（チップオングラス）またはＴＡＢによって実装されている。また、素子基板１０１のうち対向基板１０２よりも突出している部分には、略「コ」字状の端子領域１０７が設けられている。端子領域１０７には、複数の接続端子が形成され、フレキシブルテープ電線１８０を介して外側からの制御信号や電源などが入力される。また、フィルムコンデンサ・シート４００の接続端子もこの端子領域１０７に接続される。なお、その構造については後述する。
【００２０】
一方、対向基板１０２の対向電極１０８は、基板貼合部分における４隅のうち、少なくとも１箇所において設けられた導通材（図示省略）によって、素子基板１０１における接続端子と電気的な導通が図られている。すなわち、駆動信号ＬＣＯＭは、素子基板１０１に設けられた接続端子および導通材を介して対向電極１０８に印加される。
【００２１】
ここで、集積回路１７０は、主として単結晶シリコンによって構成されたチップ上に上記データ線駆動回路１４０、発振回路１５０、タイミング信号生成回路２００およびデータ変換回路３００を形成し、さらに該チップを樹脂で封入して成るものである。図１において説明したように、タイミング信号生成回路２００から走査線駆動回路１３０，１６０に対しては、スタートパルスＤＹおよびクロック信号ＣＬＹが供給される。これらの信号は、集積回路１７０から左右に突出し、領域１３０ａ，１６０ａに向かうＬ字状のパターン１７１，１７２を介して伝送される。ここで、集積回路１７０内の回路は、通常のデジタル集積回路と同様に、３Ｖ程度の低い電源電圧によって動作させることができるから、タイミング信号生成回路２００およびデータ線駆動回路１４０の消費電力を低く抑えることが可能である。
【００２２】
他に、対向基板１０２には、電気光学装置１００の用途に応じて、例えば、直視型であれば、第１に、ストライプ状や、モザイク状、トライアングル状等に配列したカラーフィルタが設けられ、第２に、例えば、金属材料や樹脂などからなる遮光膜（ブラックマトリクス）が設けられる。また、直視型の場合、電気光学装置１００に光を対向基板１０２側から照射するフロントライト、もしくは素子基板１０１側から光を照射するバックライトが必要に応じて設けられる。くわえて、素子基板１０１および対向基板１０２の電極形成面には、それぞれ所定の方向にラビング処理された配向膜（図示省略）など設けられて、電圧無印加状態における液晶分子の配向方向を規定する一方、対向基板１０２の側には、配向方向に応じた偏光子（図示省略）が設けられる。ただし、液晶１０５として、高分子中に微小粒として分散させた高分子分散型液晶を用いれば、前述の配向膜や偏光子などが不要となる結果、光利用効率が高まるので、高輝度化や低消費電力化などの点において有効である。
【００２３】
1．3．フィルムコンデンサ・シート４００の構造
次に、フィルムコンデンサ・シート４００の構造を図３(a)〜(c)を参照して説明する。ここで、同図(a)は、電気光学装置１００の背面図であり、フィルムコンデンサ・シート４００を実装しようとする途中段階の状態を図示したものである。図においてフィルムコンデンサ・シート４００は、素子基板１０１にほぼ等しい外形寸法を有し、表示領域１０１ａの部分だけ打ち抜いた中空長方形状に形成されている。このフィルムコンデンサ・シート４００は、図示のように素子基板１０１の裏面に接着等の方法で固着される。
【００２４】
かかる実装方法により、フィルムコンデンサ・シート４００は走査線駆動回路１３０，１６０に対してバックライトが照射されることを防止する遮光膜としても機能する。また、フィルムコンデンサ・シート４００は、特に回路が形成されている長方形領域１３０ａ，１６０ａを覆うのみならず表示領域１０１ａ以外の部分全体を覆うように構成されているから、表示領域１０１ａ以外の部分から光が見えることを防止する、いわゆる「見切り」としても機能する。
【００２５】
フィルムコンデンサ・シート４００の内部は、複数のフィルムコンデンサ４１０，４２０，４３０，４４０に分割されている。ここで、フィルムコンデンサ４１０，４２０はＬ字状に、フィルムコンデンサ４３０，４４０は長方形状に各々形成されている。また、各フィルムコンデンサからはリード線４１２，４２２，４３２，４３３，４４２，４４３が外方向に向かって突出している。これらリード線は、素子基板１０１の表面（図２(a)）に向かって折り曲げられ、端子領域１０７内の対応する端子に接合される。これにより、素子基板１０１上のパターンを介して、集積回路１７０内の各部の回路に対応するリード線が接続されることになる。
【００２６】
次に、フィルムコンデンサ４１０の構造を図３(b)を参照し説明する。図において４１４，……，４１４は凸字状に打ち抜かれ、可撓性を有する５枚の導体板であり、これらの間に４枚の誘電体フィルム４１６，……，４１６が１枚づつ挟まれる。各導体板４１４，……，４１４の突出部分は上記リード線４１２である。リード線４１２の形成位置は、水平方向に沿って若干づつずらされている。これにより、これら導体板４１４，……，４１４および誘電体フィルム４１６，……，４１６を重ねてフィルムコンデンサ・シート４００を形成した時に、同図(a)に示すように各リード線４１２は別々のリード線としてフィルムコンデンサ・シート４００から突出することになる。
【００２７】
フィルムコンデンサ４１０は、４個のコンデンサを直列に接続した回路と等価であり、この直列回路の両端および各コンデンサの接続位置にリード線４１２が設けられることになる。この構造によれば、４個のコンデンサを形成することができ、導体板４１４，……，４１４の面積を有効利用することができる。なお、フィルムコンデンサ４２０もフィルムコンデンサ４１０と同様に構成されている。
【００２８】
次に、フィルムコンデンサ４３０の構造を図３(c)を参照し説明する。図において４３４，……，４３４は凸字状に打ち抜かれた５枚の導体板であり、これらの間に４枚の誘電体フィルム４３６，……，４３６が誘電体として挟まれる。各導体板４３４，……，４３４のうち、上から１枚目、３枚目および５枚目の突出部４３３ａ，４３３ｂ，４３３ｃは突出位置が共通であり、これらが接合されて上記リード線４３３が形成される。同様に、各導体板４３４，……，４３４のうち、上から２枚目および４枚目の突出部４３２ａ，４３２ｂは突出位置が共通であり、これらが接合されてリード線４３２が形成される。
【００２９】
これにより、同図(a)に示すように、フィルムコンデンサ４３０からは２本のリード線４３２，４３３が突出することになる。フィルムコンデンサ４３０は、積層構造を有する１個のコンデンサであり、その電位を他のコンデンサから独立させることができる。従って、フィルムコンデンサ４３０は、チャージポンプ方式の昇圧回路に使用されるポンピングコンデンサとして用いることができる。
【００３０】
このように、目的および所要静電容量に応じて同図(b)または(c)に示すタイプのフィルムコンデンサ４１０，４２０，４３０，４４０を形成した後、リード線の部分を除いて全体を共通の皮膜で覆うことによって、フィルムコンデンサ・シート４００が形成されるのである。なお、同一領域に積層される導体板４１４，……，４１４および誘電体フィルム４１６，……，４１６の枚数、これらの表面積、誘電体フィルムの種別、誘電体フィルムの厚さ等は、各フィルムコンデンサの所要静電容量、所要耐圧等に応じて決定される。
【００３１】
ここで、誘電体フィルム４３６，……，４３６の構成方法の一例を説明しておく。まず、周知のチタン酸バリウムを焼成した後に粉砕し、その粉末をポリエチレン、レジストなどの高分子材料のバインダとともに混合する。そして、この混合物を、厚さ数十μｍ程度の薄いシート状に形成することによって誘電体フィルム４３６が得られる。コンデンサの構造として、通常のフィルムコンデンサでは誘電率が低すぎる欠点があり、セラミックコンデンサに使用されているチタン酸バリウム等のセラミックスは固すぎるため液晶パネル等に直接実装することが困難である。
【００３２】
これに対して、本実施形態のフィルムコンデンサ・シート４００においては、チタン酸バリウムの粉末を可塑性のある材料に混合しフィルム状にしたものを誘電体として用いるから、高い誘電率を確保することができる。しかも、該フィルムコンデンサ・シート４００はフィルム状にしなやかに形成することができるから、取り付けられた場所の撓み、捻れ等の変形に対して自在に追従し、金属疲労等による離脱を未然に防止することができ、衝撃が加えられた場合の耐性も高い。
【００３３】
2．電子機器の具体例
2．1．プロジェクタ
次に、上述したフィルムコンデンサ・シート４００あるいは電気光学装置を具体的な電子機器に用いた例のいくつかについて説明する。
まず、上記実施形態に係る電気光学装置をライトバルブとして用いた投射型表示装置であるプロジェクタ５４００について説明する。
図４(a)は、投射型表示装置の要部を示す概略構成図である。図中、５４３１は光源、５４４２，５４４４はダイクロイックミラー、５４４３，５４４８，５４４９は反射ミラー、５４４５は入射レンズ、５４４６はリレーレンズ、５４４７は出射レンズ、１００Ｒ，１００Ｇ，１００Ｂは上記フィルムコンデンサ・シート４００を備えた電気光学装置による液晶光変調装置であり、５４５１はクロスダイクロイックプリズム、５４３７は投射レンズを示す。光源５４３１はメタルハライド等のランプ５４４０とランプの光を反射するリフレクタ５４４１とからなる。青色光・緑色光反射のダイクロイックミラー５４４２は、光源５４３１からの光束のうちの赤色光を透過させるとともに、青色光と緑色光とを反射する。透過した赤色光は反射ミラー５４４３で反射されて、赤色光用液晶光変調装置１００Ｒに入射される。一方、ダイクロイックミラー５４４２で反射された色光のうち緑色光は緑色光反射のダイクロイックミラー５４４４によって反射され、緑色光用液晶光変調装置１００Ｇに入射される。
【００３４】
一方、青色光は第２のダイクロイックミラー５４４４も透過する。青色光に対しては、長い光路による光損失を防ぐため、入射レンズ５４４５、リレーレンズ５４４６、出射レンズ５４４７を含むリレーレンズ系からなる導光手段が設けられ、これを介して青色光が青色光用液晶光変調装置１００Ｂに入射される。各光変調装置により変調された３つの色光はクロスダイクロイックプリズム５４５１に入射する。このプリズムは４つの直角プリズムが貼り合わされ、その内面に赤光を反射する誘電体多層膜と青光を反射する誘電体多層膜とが十字状に形成されている。これらの誘電体多層膜によって３つの色光が合成されて、カラー画像を表す光が形成される。合成された光は、投射光学系である投射レンズ５４３７によってスクリーン５４５２上に投射され、画像が拡大されて表示される。
【００３５】
2．2．モバイル型コンピュータ
次に、上記フィルムコンデンサ・シート４００および電気光学装置を、モバイル型のパーソナルコンピュータに適用した例について説明する。図４(b)は、このパーソナルコンピュータの構成を示す正面図である。図において、モバイル型コンピュータ５２００は、キーボード５２０２を備えた本体部５２０４と、表示ユニット５２０６とから構成されている。この表示ユニット５２０６は、先に述べた電気光学装置１００の後方にバックライトを付加することにより構成されている。このバックライトの裏面にはフィルムコンデンサ・シート４００が貼付される。
【００３６】
2．3．携帯電話器
さらに、上記電気光学装置を、携帯電話器に適用した例について説明する。図４(c)は、この携帯電話器の構成を示す斜視図である。図において、携帯電話器５３００は、複数の操作ボタン５３０２のほか、受話口５３０４、送話口５３０６とともに、電気光学装置１００を備えるものである。この電気光学装置１００にも、その後方にバックライトが設けられ、その裏面にはフィルムコンデンサ・シート４００が貼付される。
【００３７】
2．4．その他
電子機器としては、以上説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器に対して、上述した電気光学装置あるいはフィルムコンデンサ・シート４００が適用可能な事は言うまでもない。
【００３８】
3．変形例
本発明は上述した実施形態に限定されるものではなく、例えば以下のように種々の変形が可能である。
(1)上記実施形態は、電気光学装置の一例として本発明をサブフィールド駆動型の液晶パネルに適用した例を説明したが、他のパッシブ型液晶パネルにも適用可能である。さらに、本発明は、その他電気光学装置のすべてに適用可能である。このような電気光学装置としてはエレクトロルミネッセンス装置やプラズマディスプレイなどが考えられる。
【００３９】
(2)また、上記実施形態においては、フィルムコンデンサ・シート４００を素子基板１０１の裏面に固着した例を説明したが、これに代えて（あるいはこれに加えて）、フィルムコンデンサ・シート４００を電気光学装置の他の部分に固着してもよい。例えば、図５(a)に示すように、フィルムコンデンサ・シート４００をフレキシブルテープ電線１８０と同等の幅を有する長方形状に形成し、フレキシブルテープ電線１８０に貼付してもよい。これは、フィルムコンデンサ・シート４００が可撓性を有するため、フレキシブルテープ電線１８０の撓みに追従可能だからである。
【００４０】
図５(a)において、フィルムコンデンサ・シート４００はフレキシブルテープ電線１８０に貼付された後、リード線４５２，……，４５２はフレキシブルテープ電線１８０の裏面に向かって折り曲げられる。ここで、フレキシブルテープ電線１８０の裏面においては一部のパターンが露出しており、ここにリード線４５２，……，４５２が接合される。また、フィルムコンデンサ・シート４００をフレキシブルテープ電線１８０とが一体になるように構成してもよい。また、図５(b)に示すように、フィルムコンデンサ・シート４００を硬質配線板（PWB）あるいはフレキシブル基板(FPC)１９０上に実装してもよい。また、特に図示していないが、硬質配線板（PWB）あるいはフレキシブル基板(FPC)１９０が多層基板である場合には、そのうちの一層としてフィルムコンデンサ・シート４００を内蔵させてもよい。
【００４１】
(3)上記実施形態におけるフィルムコンデンサ・シート４００は、複合ビルドアップ基板の中に埋設してもよい。複合ビルドアップ基板は、プリント配線板のコア層（コアとなる多層基板）の上下に、ビルドアップ層と呼ばれる新しい層を積み上げる方式で製造され、携帯電話、携帯情報端末などに多用されている。このビルドアップ層の一つとして上記フィルムコンデンサ・シート４００を適用するとよい。
【００４２】
(4)また、上記実施形態において、素子基板１０１の裏面にバックライトを設ける場合には、このバックライトの裏面にフィルムコンデンサ・シート４００を貼付することもできる。バックライトは、例えば表示領域１０１ａと同等の寸法を有する長方形板状に形成され、素子基板１０１の裏面から表示領域１０１ａを覆うように固着される。従って、バックライトの裏面は、表示領域１０１ａと同等の比較的広い面積を有するから、フィルムコンデンサ・シート４００において実現できる静電容量の総計を増加させることができる。
【００４３】
【発明の効果】
以上説明したように本発明によれば、シート状に形成された可撓性のコンデンサ・シート内に一または複数のコンデンサを設けたから、電気光学装置等の撓みや衝撃に対してコンデンサを安定して実装することができる。さらに、該コンデンサ・シートを表示領域の周辺に実装し、あるいは駆動回路領域を照射光から遮光するように実装する構成においては、電気光学装置の非表示領域における遮光効果を高めることができる。
【図面の簡単な説明】
【図１】  本発明の一実施形態の電気光学装置の電気的構成を示すブロック図である。
【図２】  上記実施形態における電気光学装置の構造図である。
【図３】  上記実施形態におけるフィルムコンデンサ・シート４００の詳細を示す図である。
【図４】  同電気光学装置を適用した各種電子機器の例を示す図である。
【図５】  フィルムコンデンサ・シート４００の変形例を示す図である。
【符号の説明】
１００…電気光学装置
１０１…素子基板
１０１ａ…表示領域
１０１ｂ…左辺
１０１ｃ…右辺
１０１ｄ…下辺
１０２…対向基板
１０４…シール材
１０５…液晶
１０７…端子領域
１０８…対向電極
１１８…画素電極
１３０，１６０…走査線駆動回路
１３０ａ，１６０ａ…長方形領域
１４０…データ線駆動回路
１７０…集積回路
１７１，１７２…パターン
１８０…フレキシブルテープ電線
１８１…チップコンデンサ
１９０…硬質配線板（PWB）あるいはフレキシブル基板(FPC)
３００…データ変換回路
４００…フィルムコンデンサ・シート
４１０，４２０，４３０，４４０…フィルムコンデンサ
４１２，４２２，４３２，４３３，４４２，４４３，４５２…リード線
４１４，４３４…導体板
４１６，４３６…誘電体フィルム
【図１】
0003932833.tif 000002
【図２】
0003932833.tif 000003
【図３】
0003932833.tif 000004
【図４】
0003932833.tif 000005
【図５】
0003932833.tif 000006